(57)【要約】【課題】ヒアリング担当者や設計担当者の個人的能力に依存せずとも顧客の要望を多面的に把握して、設計要素に関する多数の選択肢の中から最善の解を合理的に選択できるような設計支援システムを提供する。【解決手段】本発明の住宅の設計支援システムは、想定されうる顧客の生活全般に関する要望に、生活空間イメージと生活行動イメージとを組み合わせて予め類型化した複数種類の生活作法と、その生活作法を実現しうる空間設計イメージと、その空間設計イメージを空間構成や設備仕様のレベルまで具体化した設計要素を、順次、樹形構造的に関連付けることにより、その樹形構造に沿って顧客の要望を実現しうる最善の設計要素を絞り込めるように構成される。【選択図】図１
2006318129.tif 000002
【特許請求の範囲】
【請求項１】
想定されうる顧客の生活全般に関する要望に、生活空間イメージと生活行動イメージとを組み合わせて予め類型化した複数種類の生活作法を樹形構造的に関連付け、上記生活作法に、当該生活作法を実現しうる空間設計イメージを樹形構造的に関連付け、上記空間設計イメージに、当該空間設計イメージを空間構成や設備仕様のレベルまで具体化した設計要素を樹形構造的に関連付けることにより、顧客の要望を実現しうる最善の設計要素を上記樹形構造に沿って絞り込めるように構成された住宅の設計支援システム。
【発明の詳細な説明】
【技術分野】
【０００１】
本発明は、住宅の設計に際して、顧客の要望を具体的な設計要素に落とし込んでゆくための設計支援システムに関する。
【背景技術】
【０００２】
従来一般の注文住宅設計においては、顧客（建築主・その家族も含む）の要望を営業担当者や設計担当者がヒアリングして、その要望に対応する設計要素（空間構成、デザイン、設備仕様など）を設計者が図面や画像、模型などの形で具現化してゆく、という作業が行われる。
【０００３】
かかる設計過程で利用される設計手法として、古典的なところでは、米国人建築家クリストファー・アレキサンダーが提唱した「パタン・ランゲージ」（非特許文献１、２等）が知られている。このパタン・ランゲージは、空間構成やデザインの型をパターンとして収集し、顧客の要望に対応するパターンを適宜組み合わせて、顧客の求める空間イメージに統合してゆくというものである。
【０００４】
また、本出願人は、顧客の要望と設計者側が考える空間イメージとを結合させる設計支援システムとして、空間イメージの選択肢からなるアンケートを通じて、顧客の生活空間に対する潜在的要望を表わす言語を抽出し、抽出された言語と、顧客の要望を具現化するための設計手法例や、その施工例画像を連動的に表示させる設計支援システムを提案している（特許文献１）。
【非特許文献１】「パタン・ランゲージ―環境設計の手引」・クリストファー・アレ                    グザンダー著・平田翰那訳・鹿島出版会・１９８４年１１月
【非特許文献２】「パタン・ランゲージによる住まいづくり」・中埜博著・井上書院                    １９８８年１２月
【特許文献１】特開２００２−２９７６８７号公報
【発明の開示】
【発明が解決しようとする課題】
【０００５】
パタン・ランゲージに代表されるような、顧客の要望を空間イメージに置換しようとする設計手法では、まず顧客の要望をヒアリングする過程で、顧客の雑多散漫になりがちな要望を念入りに、かつ多面的に引き出し、顧客が望む生活様式を的確に想像しながら、場合によっては互いに矛盾しがちな多くの要望の中にどう優先順位をつけるか、といった高度な聞き込み能力と想像力が要求される。さらに、顧客の要望を設計者が具現化する過程では、設計者が設計要素に関する無数の選択肢の中から有限個数の選択肢を選び、それらを一つの設計案として統合することになるが、その選択結果や統合結果は設計者自身の知識、経験、好み等を含む個人的な能力に大きく左右されてしまう。
【０００６】
また、上記特許文献１記載の設計支援システムは、まず顧客にさまざまな空間イメージ（画像）を提示して、顧客が回答した各空間イメージに対する好感度から顧客の潜在的な要望を言語化しようとするものであるから、把握可能な顧客の要望が、どうしても視覚的に表現される分野に偏りがちになる。したがって、例えば顧客が地域や環境に対してどのように関わり合っていきたいかとか、中長期的にどのような生活設計を考えているかとか
、ひとつの空間の中で季節や時間帯ごとにどのような生活の変化を期待しているか、といった、視覚化されにくい要望を把握するのが困難である。
【０００７】
そこで、本発明は、まず顧客が自然に回答しやすい言語レベルで顧客の要望を抽出し、その要望を系統的に処理しながら順次、空間構成や設備仕様などの設計要素に具現化してゆく設計支援システムを採用するものとし、かかる設計支援システムにおいて、ヒアリング担当者や設計担当者の個人的能力に依存せずとも顧客の要望を多面的に把握して、設計要素に関する多数の選択肢の中から最善の解を合理的に選択できるような設計支援システムを提供するものである。
【課題を解決するための手段】
【０００８】
本発明の住宅の設計支援システムは、想定されうる顧客の生活全般に関する要望に、生活空間イメージと生活行動イメージとを組み合わせて予め類型化した複数種類の生活作法を樹形構造的に関連付け、上記生活作法に、当該生活作法を実現しうる空間設計イメージを樹形構造的に関連付け、上記空間設計イメージに、当該空間設計イメージを空間構成や設備仕様のレベルまで具体化した設計要素を樹形構造的に関連付けることにより、顧客の要望を実現しうる最善の設計要素を上記樹形構造に沿って絞り込めるように構成されたことを特徴とする。
【発明の効果】
【０００９】
本発明の住宅の設計支援システムは、想定されうる顧客の要望と、その要望をイメージ化した生活作法と、その生活作法を実現するための空間設計イメージと、その空間設計イメージをさらに具体化した設計要素とが、予め樹形構造的に関連付けされたものであるから、言語レベルで抽出した顧客の要望を、上記樹形構造に沿って系統的に辿りながら、順次、空間設計イメージや設計要素に具現化してゆくことができる。
【００１０】
しかも、この設計支援システムを利用すれば、ヒアリング担当者や設計担当者の個人的能力に依存せずとも、顧客の要望を多面的に把握して、設計要素に関する多数の選択肢の中から最善の解を合理的に選択することが可能になる。
【発明を実施するための最良の形態】
【００１１】
以下、本発明の実施の形態について説明する。
【００１２】
図１は、本設計支援システムの基本概念を示す構成図である。
【００１３】
この設計支援システムは、顧客の生活全般に関する漠然とした要望を、新規に創出した生活作法という概念を媒介として、空間設計イメージ及び設計要素に関連付けしようとしたものである。顧客の要望は、複数種類の言語表現で予め類型化され、アンケートやチェックリストのような形態のヒアリングツールを介して抽出される。生活作法は、想定されうる様々な暮らし方や住まい方を快適化するための独自概念であって、イラストレーションや写真等で視覚的に表現した生活空間イメージと、象徴的なキーワードで言語的に表現した生活行動イメージとを組み合わせて予め類型化される。空間設計イメージは、どのような空間を用意すべきかというコンセプトを短い言語で表現したものである。設計要素は、設計案に盛り込む間取りや設備の仕様等を名称化したものである。
【００１４】
顧客の要望から、生活作法を経て、空間設計イメージ、そして設計要素へと繋がる概念は樹形構造的に関連付けられているので、この設計支援システムを用いて顧客の要望を抽出することにより、その要望を実現するための空間設計イメージや最善の設計要素を半自動的に導き出すことが可能になる。
【００１５】
なお、本設計支援システムは、各段階の項目やイメージを予め印刷した複数枚の紙面上で実施することも可能であるし、本システムの実行プログラムを電子データとして予め格納したコンピュータ上で実施することも、もちろん可能である。
【００１６】
図２に、本設計支援システムの具体的な実施形態を例示する。
【００１７】
まず、顧客の要望を抽出する。本例の顧客は、都市部にあっても自然環境との共生を重視したいという価値観を有し、また、近隣地域の住民とも気軽にコミュニケーションをとりたいという希望を有している。この要望に対応して、チェックリスト上の「春の夜を楽しみたい」と、「近所と気軽にコミュニケーションをとりたい」という要望項目にチェックマークが記入される。
【００１８】
「春の夜を楽しみたい」という要望項目には、「花冷えの夜に暖を採る」というキーワードでイメージ化された生活作法が関連付けられている。この生活作法には、「ストーブを囲むリビング空間」という空間設計イメージが関連付けされ、さらに、その空間イメージを具体化する設計要素として、「ペレットストーブ」という暖房設備が関連付けられている。ペレットストーブとは、間伐材の木粉を活用する燃焼効率の良いストーブである。このような設備をリビングの一角に設置するということが、「春の夜を楽しみたい」という顧客の要望を実現するひとつの解として提示される。
【００１９】
また、「近所と気軽にコミュニケーションをとりたい」という要望項目には、「家で井戸端会議をする」とうキーワードでイメージ化された生活作法と、「フリーマーケットを自宅で開催する」というキーワードでイメージ化された生活作法とが関連付けられているそして、これらの生活作法に共通して、「近隣とのコミュニケーションがとれる半戸外空間」という空間設計イメージが関連付けされ、さらに、その空間イメージを具体化する設計要素として、「縁空間」という空間仕様が関連付けられている。このような空間を住宅の戸外に面した部分に設けるということが、「近所と気軽にコミュニケーションをとりたい」という顧客の要望を実現するひとつの解として提示される。
【００２０】
このように、顧客の要望から、予め樹形構造的に関連付けられた生活作法、空間設計イメージ、設計要素へと系統的に辿っていくことによって、顧客の要望を、様々な空間的解決へと絞り込んでゆくことが可能になる。
【図面の簡単な説明】
【００２１】
【図１】本発明の住宅の設計支援システムの基本概念を示す構成図である。
【図２】本発明の実施形態の一部を樹形構造的に示す説明図である。
【図１】
2006318129.tif 000003
【図２】
2006318129.tif 000004